(57)【要約】【課題】ＵＥ（ユーザー端末）で着信ページング情報を受け損なうことを避けるために、無線通信システムのネットワークにおいてページング情報をＣＥＬＬ＿ＰＣＨ（セルページングチャネル）状態のＵＥに送信する方法及び装置を提供する。【解決手段】方法は、専用ページングプロセスを起動し、専用ページング情報をＣＥＬＬ＿ＰＣＨ状態で高速ダウンリンク機能を実行するＵＥに送信する段階を含む。【選択図】図４
2008278495.tif 000002
【特許請求の範囲】
【請求項１】
無線通信システムのネットワークにおいてページング情報を送信する方法であって、
専用ページングプロセスを起動し、専用ページング情報をＣＥＬＬ＿ＰＣＨ（セルページングチャネル）状態で高速ダウンリンク機能を実行するＵＥ（ユーザー端末）に送信する段階を含む、ページング情報の送信方法。
【請求項２】
前記専用ページングプロセスを起動する段階は、ＤＣＣＨ（専用制御チャネル）を通してページングタイプ２のメッセージをＵＥに送信する段階を含む、請求項１に記載のページング情報の送信方法。
【請求項３】
前記ＵＥは専用Ｈ−ＲＮＴＩ（ＨＳ−ＤＳＣＨ無線ネットワークトランザクション識別子）を用いて高速ダウンリンク機能を実行する、請求項１に記載のページング情報の送信方法。
【請求項４】
前記高速ダウンリンク機能はＨＳ−ＤＳＣＨ（高速ダウンリンク共用チャネル）受信機能を含む、請求項１に記載のページング情報の送信方法。
【請求項５】
無線通信システムにおいてページング情報をＣＥＬＬ＿ＰＣＨ状態のＵＥに送信するための通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、前記プログラムコードは、
専用ページングプロセスを起動し、専用ページング情報をＣＥＬＬ＿ＰＣＨ状態で高速ダウンリンク機能を実行するＵＥに送信するコードを含む、通信装置。
【請求項６】
前記専用ページングプロセスを起動するコードは、ＤＣＣＨを通してページングタイプ２のメッセージをＵＥに送信するコードを含む、請求項５に記載の通信装置。
【請求項７】
前記ＵＥは専用Ｈ−ＲＮＴＩを用いて高速ダウンリンク機能を実行する、請求項５に記載の通信装置。
【請求項８】
前記高速ダウンリンク機能はＨＳ−ＤＳＣＨ受信機能を含む、請求項５に記載の通信装置。
【発明の詳細な説明】
【技術分野】
【０００１】
本発明は無線通信システムにおいてページング情報を受信する方法及び装置に関し、特に無線通信システムにおいてページング情報をＣＥＬＬ＿ＰＣＨ（セルページングチャネル）状態のＵＥ（ユーザー端末）に送信する方法及び装置に関する。
【背景技術】
【０００２】
第三世代移動通信技術はＷＣＤＭＡ（広帯域多元分割接続）方式で高スペクトル利用効率、高カバー率、優れた通話品質と高速のマルチメディアデータ送信を実現する。第三世代移動通信システムを通して、ユーザーは無線通信装置（例えば携帯電話）でテレビ電話（映像通信）、電話会議、オンラインゲーム、オンラインミュージック、電子メールを楽しむことができる。もっとも、これらの機能は迅速かつ実時間の送信機能に頼る。帯域幅の利用効率とパケットデータの処理効率を向上させ、上り・下りの送信速度を改善するために、従来の第三世代移動通信技術にはＨＳＤＰＡ（高速ダウンリンクパケットアクセス）とＨＳＵＰＡ（高速アップリンクパケットアクセス）が導入されている。
【０００３】
ＨＳＤＰＡシステムに基づいて、３ＧＰＰ（第三世代パートナーシッププロジェクト）はＲＲＣ（無線資源制御）接続モードのＣＥＬＬ＿ＰＣＨ状態とＵＲＡ＿ＰＣＨ（ＵＴＲＡＮ登録領域ページングチャネル）状態についてＨＳ−ＤＳＣＨ（高速ダウンリンク共用チャネル）受信機能（以下に高速ダウンリンク受信機能と略する）を設けた。この機能は、前記状態のＵＥでＨＳ−ＤＳＣＨと、ＨＳ−ＳＣＣＨ（ＨＳ−ＤＳＣＨ共用制御チャネル）の信号を合わせて利用してダウンリンクデータを受信することを許容し、最大データ率、信号送信の遅延、状態変換の遅延、セルのサポート可能なＵＥの数量などを改善する。高速ダウンリンク受信機能のもとで、ＨＳ−ＤＳＣＨは、種々の論理チャネルに対応可能なトランスポートチャネルである。対応可能な論理チャネルとしては、専用型のＤＣＣＨ（専用制御チャネル）とＤＴＣＨ（専用トラヒックチャネル）、及び共用型のＰＣＣＨ（ページング制御チャネル）とＢＣＣＨ（ブロードキャスト制御チャネル）がある。
【０００４】
ＵＴＲＡＮ（ＵＭＴＳ無線アクセスネットワーク）は、システム情報ブロードキャスト方式でＵＥの高速ダウンリンク受信機能を起動する。関連のパラメータとしては、ＰＩＣＨ（ページング指示チャネル）、ＨＳ−ＳＣＣＨ、並びにＨＳ−ＤＳＣＨの構成、及びＰＣＣＨに用いられるＨ−ＲＮＴＩ（ＨＳ−ＤＳＣＨ無線ネットワークトランザクション識別子）パラメータなどがあり、これらのパラメータはＳＩＢ（システム情報ブロック）タイプ５／５ｂｉｓのＨＳ−ＤＳＣＨページングシステム情報（ＨＳ−ＤＳＣＨ  Ｐａｇｉｎｇ  Ｓｙｓｔｅｍ  Ｉｎｆｏｒｍａｔｉｏｎ）という情報要素（ＩＥ）を通してＵＥに送信される。
【０００５】
高速ダウンリンク受信機能の実行時に、ＵＥは共通Ｈ−ＲＮＴＩまたは専用Ｈ−ＲＮＴＩをＵＥ  ＩＤとして使用し、ＨＳ−ＤＳＣＨパケットを受信することができる。
【０００６】
共通Ｈ−ＲＮＴＩと専用Ｈ−ＲＮＴＩの相違点は、前者は複数のＵＥに用いられ、後者は特定のＵＥにのみに用いられることにある。したがって、ダウンリンクＭＡＣ（媒体アクセス制御）でのパケットの受信過程では、共通Ｈ−ＲＮＴＩを用いるＵＥはパケットのうちＵＥ  ＩＤ情報、例えばパケットヘッダのうちＵＥ  ＩＤまたはＵＥ  ＩＤタイプをいちいち確認しなければならない。それに対して、専用Ｈ−ＲＮＴＩを用いるＵＥに送信するパケットには、ＵＥ  ＩＤ情報を組み入れる必要がないので、データ送信効率を向上させることができる。ＵＥはＰＣＣＨのデータを受信するために共通Ｈ−ＲＮＴＩを用い、ＤＣＣＨ／ＤＴＣＨのデータを受信するために専用Ｈ−ＲＮＴＩを用いなければならない。なお、高速ダウンリンク受信機能を通して、ＣＥＬＬ＿ＰＣＨ状態で専用Ｈ−ＲＮＴＩを用いるＵＥは、セル更新プロセスを起動せずとも、アップリンク情報を送信してダウンリンク情報を受信することができる。
【０００７】
ＵＴＲＡＮが専用Ｈ−ＲＮＴＩを割り当てると、ＵＥはＵＥ  ＩＤ変数を用いて専用Ｈ−ＲＮＴＩを保存する。ＳＩＢタイプ５／５ｂｉｓにＨＳ−ＤＳＣＨページングシステム情報というＩＥが含まれ、かつＵＥがＣＥＬＬ＿ＰＣＨ状態にある場合では、ＵＥ  ＩＤ変数に専用Ｈ−ＲＮＴＩが既に保存されていれば、ＵＥはこの専用Ｈ−ＲＮＴＩをＵＥ  ＩＤとして用いて高速ダウンリンク受信機能を実行する。さもなければ、ＵＥはＨＳ−ＤＳＣＨページングシステム情報というＩＥを通して、共通Ｈ−ＲＮＴＩを選択する。
【０００８】
ＵＥに着信ページング情報を通報するために、従来の仕様では２種類のページング情報の送信方法を提供する。第一の方法はアイドリングモードまたはＣＥＬＬ＿ＰＣＨ／ＵＲＡ＿ＰＣＨ状態のＵＥに適する。同方法によれば、ＵＴＲＡＮはＰＣＣＨを通してページングタイプ１のメッセージをＵＥに送信し、ＵＥは共通Ｈ−ＲＮＴＩを用いてこのページングタイプ１のメッセージを受信しなければならない。
【０００９】
第二の方法はＣＥＬＬ＿ＦＡＣＨ（セルフォワードチャネル）またはＣＥＬＬ＿ＤＣＨ（セル専用チャネル）状態のＵＥにのみ適する。ＵＴＲＡＮはＤＣＣＨを通してページングタイプ２のメッセージを送信して専用ページングプロセスを起動し、専用ページング情報を送信する。
【００１０】
以上のように、ＣＥＬＬ＿ＰＣＨ状態で専用Ｈ−ＲＮＴＩを用いるＵＥの場合では、前記２種類の方法はいずれも適用できないので、ＵＥはページングタイプ１とページングタイプ２のメッセージを受信することができず、着信ページング情報を受け損なうこととなる。
【発明の開示】
【発明が解決しようとする課題】
【００１１】
本発明は、ＵＥで着信ページング情報を受け損なうことを避けるために、無線通信システムのネットワークにおいてページング情報をＣＥＬＬ＿ＰＣＨ状態のＵＥに送信する方法及び装置を提供することを課題とする。
【課題を解決するための手段】
【００１２】
本発明では、無線通信システムのネットワークにおいてページング情報を送信する方法を開示する。当該方法は、専用ページングプロセスを起動し、専用ページング情報をＣＥＬＬ＿ＰＣＨ（セルページングチャネル）状態で高速ダウンリンク機能を実行するＵＥ（ユーザー端末）に送信する段階を含む。
【００１３】
本発明では更に、無線通信システムにおいてページング情報をＣＥＬＬ＿ＰＣＨ状態のＵＥに送信するための通信装置を掲示する。当該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。前記プログラムコードは、専用ページングプロセスを起動し、専用ページング情報をＣＥＬＬ＿ＰＣＨ状態で高速ダウンリンク機能を実行するＵＥに送信するコードを含む。
【発明を実施するための最良の形態】
【００１４】
かかる方法及び装置の特徴を詳述するために、具体的な実施例を挙げ、図を参照にして以下に説明する。
【００１５】
図１を参照する。図１は無線通信システム１０を表す説明図である。無線通信システム１０は望ましくは第三世代移動通信システムであり、概してネットワークと複数のＵＥとを備える。図１では、ネットワークとＵＥは無線通信システム１２００の構造を説明するのに用いられ、実際、ネットワークは要求に応じて複数の基地局、ＲＮＣ（無線ネットワークコントローラー）を含みうる。ＵＥは携帯電話またはコンピュータシステムなどの装置である。
【００１６】
図２を参照する。図２は無線通信装置１００のブロック図である。無線通信装置１００は図１に示すネットワークを実施する。説明を簡潔にするために、図２では無線通信装置１００の入力装置１０２、出力装置１０４、制御回路１０６、ＣＰＵ（中央処理装置）１０８、記憶装置１１０、プログラムコード１１２及びトランシーバー１１４のみ示している。無線通信装置１００では、制御回路１０６はＣＰＵ１０８を通して記憶装置１１０に記録されたプログラムコード１１２を実行することで、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルの構造に当てはめれば、トランシーバー１１４は第一層の一部とみなされ、制御回路１０６は第二層と第三層の機能を実現する。望ましくは、無線通信装置１００はＣＥＬＬ＿ＰＣＨの高速ダウンリンク受信機能をサポートする。この高速ダウンリンク受信機能は、ＨＳ−ＤＳＣＨ受信機能を含む。
【００１７】
図３を参照する。図３は図１に示すプログラムコード１１２を表す説明図である。プログラムコード１１２はアプリケーション層２００と、第三層２０２と、第一層２１８に接続される第二層２０６を備える。第三層２０２に設けられたＲＲＣ（無線資源制御）エンティティー２２２はＲＲＣメッセージとＩＥに基づいて第一層２１８と第二層２０６を制御し、無線通信システム１０のＵＥとピア・ツー・ピア方式の通信を行う。第二層２０６はＲＬＣ（無線リンク制御）層とＭＡＣ（媒体アクセス制御）層を含み、両者は論理チャネルを通して交信してパケットを交換する。なお、ＭＡＣ層はトランスポートチャネルを通して第一層２１８とパケットを交換し、第一層２１８は物理チャネルを通して無線通信システム１０のネットワークと無線信号を交換する。
【００１８】
ＣＥＬＬ＿ＰＣＨ状態の高速ダウンリンク受信機能のもとで、関連の論理チャネルとしては、ＤＣＣＨ、ＤＴＣＨ、ＰＣＣＨ、及びＢＣＣＨがあり、関連のトランスポートチャネルとしては、ＨＳ−ＳＣＣＨ（物理チャネル）の信号と合わせてパケットを送信するＨＳ−ＤＳＣＨがある。
【００１９】
無線通信装置１００は、高速ダウンリンク受信機能を実行させるために、共通Ｈ−ＲＮＴＩまたは専用Ｈ−ＲＮＴＩをＵＥに割り当てる。ＣＥＬＬ＿ＰＣＨ状態で専用Ｈ−ＲＮＴＩを用いて高速ダウンリンク受信機能を実行するとき、ＵＥはＤＣＣＨとＤＴＣＨに対応するＨＳ−ＤＳＣＨのデータを受信する。それに鑑みて、ＵＥでページング情報を受信できず、着信ページングを受け損なうことを避けるために、本発明の実施例では前記プログラムコード１１２にページング情報送信プログラムコード２２０を設ける。図４を参照する。図４は本発明の実施例による方法４０を表す説明図である。下記方法４０は無線通信システムのネットワークにおいてページング情報を送信するのに用いられ、ページング情報送信プログラムコード２２０としてコンパイルすることができる。
【００２０】
ステップ４００：開始。
ステップ４０２：専用ページングプロセスを起動し、専用ページング情報をＣＥＬＬ＿ＰＣＨ状態で高速ダウンリンク機能を実行するＵＥに送信する。
ステップ４０４：終了。
【００２１】
以上のように、本発明の実施例では、ネットワークは専用ページングプロセスを起動し、専用ページング情報をＣＥＬＬ＿ＰＣＨ状態で高速ダウンリンク機能を実行するＵＥに送信することで、着信情報を通報する。望ましくは、ネットワークはＤＣＣＨを通してページングタイプ２のメッセージをＵＥに送信して、専用ページングプロセスを起動し、ＵＥは専用Ｈ−ＲＮＴＩを用いて高速ダウンリンク機能を実行して、ＤＣＣＨを通してページングタイプ２のメッセージを受信する。
【００２２】
従来の技術では、ＣＥＬＬ＿ＰＣＨ状態で専用Ｈ−ＲＮＴＩを用いて高速ダウンリンク機能を実行するＵＥは、専用ページング情報を受信することができない。本発明の実施例では、ＣＥＬＬ＿ＰＣＨ状態のＵＥにも専用ページングプロセスを適用するので、ＵＥに専用ページング情報を正常に受信させ、着信ページングを受け損なう状況を防止することができる。
【００２３】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２４】
【図１】無線通信システムを表す説明図である。
【図２】無線通信装置のブロック図である。
【図３】図２に示すプログラムコードを表す説明図である。
【図４】本発明の実施例による方法のフローチャートである。
【符号の説明】
【００２５】
１０    無線通信システム
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  ページング情報送信プログラムコード
２２２  ＲＲＣエンティティー
【図１】
2008278495.tif 000003
【図２】
2008278495.tif 000004
【図３】
2008278495.tif 000005
【図４】
2008278495.tif 000006